(57)【特許請求の範囲】
【請求項１】
本体前面に設けられたリモコン収納部と、該リモコン収納部に収納され、回転開閉する前開きの扉を有するリモコンと、を備え、前記扉は該扉の略半円の円弧状の軸受部がリモコン本体側に固定された軸部に直接係合して開閉し、前記扉は閉じた状態から開放される場合に、開放角度が大きくなる位置に開閉の支点が、扉の一端部がリモコン本体により曲線状に案内されて前記扉側で円弧状に移動可能であり、９０度より大きく開放されることを特徴とする空気調和機のリモコン収納装置。
【請求項２】
扉は上下方向に回転開閉することを特徴とする請求項１記載の空気調和機のリモコン収納装置。
【請求項３】
扉は左右方向に回転開閉することを特徴とする請求項１記載の空気調和機のリモコン収納装置。
【請求項４】
扉は一端部がリモコン本体端部と係合し、該扉の他端部が開閉することを特徴とする請求項２又は請求項３記載の空気調和機のリモコン収納装置。
【発明の詳細な説明】
【０００１】
【発明の属する技術分野】
この発明は、空気調和機のフロントパネルに収納されるリモートコントローラ（リモコン）のスイッチ部の扉に関するものである。
【０００２】
【従来の技術】
図９は従来の空気調和機のリモコンを収納した状態を示す全体斜視図、図１０は同リモコンのスイッチ部の扉を開いた状態を示す斜視図、図１１は同要部拡大斜視図である。図において、１０１は空気調和機本体、１０２は空気調和機本体１０１のフロントパネルの上部に収納されたリモコン、１０３はリモコン１０２のスイッチ部１０４の扉、１０５はリモコン１０２の前面下部両端に設けられた円形の軸部、１０６はこの軸部１０５と嵌合する扉１０３の下部両端に設けられた円形の軸受部である。
【０００３】
次に動作について説明する。図９に示すようなリモコン１０２を空気調和機本体１０１に収納した状態でスイッチ部の扉１０３を開放する場合、図１１に示すように扉１０３の軸受部１０６が軸部１０５と同様円形で遊びが無いため、扉１０３の下端部がリモコン１０２のスイッチ部１０４に当接し図１０に示す角度程度しか開かない。そのため、スイッチ部１０４の下部のスイッチの操作性が悪い。
【０００４】
【発明が解決しようとする課題】
従来の空気調和機は以上のように構成されているので、リモコン１０２を空気調和機本体１０１に収納した状態でスイッチ部の扉１０３を開放する場合、扉１０３の下端部がリモコン本体に当接するために開放角度を大きくすることができずスイッチの操作性が悪いという問題点があった。
また、扉の開放角度を大きくするために、扉１０３の下端部とリモコン本体との間に隙間を設けると意匠性が悪くなるという問題点があった。
【０００５】
この発明は以上のような問題点を解決するためになされたもので、リモコンを空気調和機に収納しスイッチ部の扉を閉じた場合リモコン周囲に隙間がなく、かつリモコンが本体と同一面を成して意匠性を確保しながら、スイッチ部の扉の開放角度をスイッチの操作に支障ないように大きくすることのできる空気調和機のリモコンを提供することを目的とする。
【０００６】
【課題を解決するための手段】
請求項１の空気調和機のリモコン収納装置は、本体前面に設けられたリモコン収納部と、該リモコン収納部に収納され、回転開閉する前開きの扉を有するリモコンとを備え、扉は扉の略半円の円弧状の軸受部がリモコン本体側に固定された軸部に直接係合して開閉し、扉は閉じた状態から開放される場合に、開放角度が大きくなる位置に開閉の支点が、扉の一端部がリモコン本体により曲線状に案内されて扉側で円弧状に移動可能であり、９０度より大きく開放されることを特徴とする。
【０００７】
請求項２の空気調和機のリモコン収納装置は、請求項１記載のものにおいて、扉は上下方向に回転開閉することを特徴とする。
【０００８】
請求項３の空気調和機のリモコン収納装置は、請求項１記載のものにおいて、扉は左右方向に回転開閉することを特徴とする。
【０００９】
請求項４の空気調和機のリモコン収納装置は、請求項２又は請求項３記載のものにおいて、扉は一端部がリモコン本体端部と係合し、扉の他端部が開閉するものである。
【００１０】
【作用】
請求項１の空気調和機のリモコン収納装置は、扉が閉じた状態から開放される場合に、開閉の支点が円弧状に移動することにより開放角度が大きくなる。
【００１１】
請求項２の空気調和機のリモコン収納装置は、扉が閉じた状態から上下方向に開放される場合に、開閉の支点が上下方向に移動することにより開放角度が大きくなる。
【００１２】
請求項３の空気調和機のリモコン収納装置は、扉が閉じた状態から左右方向に開放される場合に、開閉の支点が左右方向に移動することにより開放角度が大きくなる。
【００１３】
請求項４の空気調和機のリモコン収納装置は、扉が閉じた状態から開放される場合に、開閉の支点が内側に移動することにより開放角度が大きくなる。
【００１４】
【発明の実施の形態】
実施の形態１．
以下、この発明の実施の形態１を図について説明する。図１はこの発明の実施の形態１による空気調和機のリモコンの斜視図、図２は同リモコンの空気調和機に収納された状態を示す縦断面図、図３は同リモコンの要部拡大斜視図、図４は同リモコンの扉の開閉動作を説明するための図である。図において、１は空気調和機本体、１ａはこの本体１のフロントパネルにリモコン２を収納するリモコン収納部、１ｂはこのリモコン収納部１ａの下部を構成し、コーナー部が曲面形状の第１のガイド部、２ａはリモコン２の外装ケース（リモコン本体）、３は下部がリモコン本体２ａと係合し、上部が開放される前開きの扉で閉じた場合、リモコン２のスイッチ部４をリモコン本体２ａ前面と同一面を成して、かつ隙間がないように覆う。５はリモコン本体２ａ前面下部左右に前方へ延出して設けられた軸部、６は扉３の左右側壁７下部の内側に設けられ、裏面側（閉じた状態でスイッチ部４側）に湾曲し扉３の上下方向に所定長さ設けられた円弧状の軸受部、７ａはこの軸受部６の外側に形成された周囲側壁、８は扉３の上部先端に設けられ、リモコン本体２ａ側の本体側係合瓜９と係合する扉側係合瓜、１０はリモコン本体２ａの前面下部に設けられ、リモコン２を本体１に収納した場合前記フロントパネルの第１のガイド部１ｂに載置されると共に、コーナー部が第１のガイド部と略鏡面対称の曲面形状を成す第２のガイド部である。
【００１５】
図２に示すようにリモコン２を本体１のリモコン収納部１ａに収納した状態で扉３を閉じた場合、扉３の軸受部６の上端部に軸部５が嵌合し、扉側係合瓜８と本体側係合瓜９が係合して収納保持される。そしてこの状態ではリモコン２とフロントパネルのリモコン収納部１ａとの周囲の隙間が最小となるように組み合わされる。
【００１６】
また、図２に示すようにリモコン２の扉３を最大に開いた場合は、軸部５が扉３の軸受部６の下端部と嵌合し、かつ扉３の前面がリモコン収納部１ａの第１のガイド部１ｂの前縁部に載置されて、約１５０度開く。
【００１７】
次に動作について説明する。リモコン２の扉３が閉じた状態において、扉３を開く場合扉３の上端部に手を掛けて扉側係合瓜８と本体側係合瓜９の係合を外す。扉３が回転を開始すると、扉３の側壁７ａの下端面が先ず曲面形状の第１のガイド部１ｂに当接するがその反力により大きい力（僅かな力ではあるが）で扉３を若干回転させると軸受部６をリモコン本体２ａに固定された軸部５に沿って回転移動を開始して扉３が前方へ押し出され、扉３の側壁７ａの下端面の第１のガイド部１ｂとの接触点も上方に移動する。そしてある角度以上に開放されると扉３の自重による回転力により同様の動作が連続に行なわれ、最終的には軸受部６の下端部に軸部５が嵌合した状態で扉３は回転し扉３の前面が第１のガイド部１ｂの前縁部に載置されて約１５０度開放される。この状態ではスイッチ部４の下部の操作を容易に行なうことができる。
【００１８】
扉３が最大角度に開放された状態から閉じるには、手で扉３を持ち上げて回転させ、ある角度以下に達すると後は自重によって扉３が下方に軸受部６が軸部５に沿って移動し軸受部６の上端部に軸部５が嵌合すると共に、扉側係合瓜８と本体側係合瓜９が係合してリモコン２とリモコン収納部１ａとの周囲の隙間が最小となる元のリモコン本体２ａに装着された状態に戻る。
【００１９】
この実施の形態によれば、リモコン２のスイッチ部４を覆う扉３に下部から中央に延設された円弧状の軸受部６を設け、閉じた状態ではリモコン本体２ａの下部に前方へ延出して設けられた軸部５が軸受部６の上端部に嵌合し扉３が最小隙間で装着され、開き始めるに従い扉３が自重と第１のガイド部１ｂの作用により前方へ押し出される共に軸受部６が軸部５に沿って回転移動し、最終的には軸受部６の下端部に軸部５が嵌合して扉３が上に移動した状態になるため約１５０゜扉３を開放することができ、スイッチ部４の操作性が向上する。閉じる場合はある角度以下になると扉３が自重で下に移動し下部の隙間を最小にすることができ、意匠面でも優れたリモコン収納装置が得られる。
【００２０】
実施の形態２．
実施の形態１で扉を約１５０度開放でき、スイッチ部の操作性が良く、かつ扉を閉じた場合にリモコンとリモコン収納部との周囲の隙間が最小にでき意匠面でも優れたリモコン収納装置を説明したが、最大開放角度が約１５０度のため空気調和機本体のフロントパネルとの間に約３０度の間隔があり、開いた状態で扉に力が加えられると軸部もしくは軸受部が破損する恐れがある。この問題を解決するために、円弧状の軸受部下端部に斜面を設け、開いた状態で扉に力が加わった場合この斜面で軸部を軸受部から外れて扉が脱落し破損を防止する。
【００２１】
以下、この発明の実施の形態２を図について説明する。図５はこの発明の実施の形態２による空気調和機のリモコンの扉を開いた状態の斜視図、図６は同扉の平面断面図である。図において、６ａは扉３を最大開度に開いた状態で軸部５と係合する軸受部６の下端部に設けられた斜面である。また、軸部５のリモコン本体２ａとの継ぎ部は実施の形態１よりも幅が狭まく設計され、撓みやすくなっている。
【００２２】
次に動作について説明する。扉３が最大角度に開いた状態で、扉３に外力が加わると、軸部５と嵌合している軸受部６の下端部に形成された斜面６ａが撓みやすく設計された軸部５を内側に押し出し軸部５が軸受部６から外れて扉３が脱落することにより、軸部５もしくは軸受部６の破損を防止する。
【００２３】
この実施の形態によれば、軸受部６の下端部に斜面６ａを形成すると共に、軸部５を撓みやすい形状にしたので、扉３の開放時に、扉３に力が加えられた場合でも扉３がリモコン本体２ａから脱落して軸部５もしくは軸受部６の破損を防止することができる。
【００２４】
実施の形態３．
実施の形態１、２では、扉側壁７に軸受部６を設けたものを示したが、これに限られたものでなく、例えば図７に示すように扉３の裏面下部の内側左右に軸受部６を設け、これに嵌合する軸部５をこれに対応する位置のリモコン本体２ａ前面下部に設けても同様の効果を奏する。
【００２５】
実施の形態４．
上記実施の形態では、リモコン２の扉３が上下方向に回転するものを示したが、もちろんこれに限られたものではなく、図８に示すように左右方向に回転する横開きの扉３としても同様の効果が得られる。
【００２６】
【発明の効果】
請求項１の空気調和機のリモコン収納装置は、本体前面に設けられたリモコン収納部と、該リモコン収納部に収納され、回転開閉する前開きの扉を有するリモコンとを備え、扉は扉の略半円の円弧状の軸受部がリモコン本体側に固定された軸部に直接係合して開閉し、扉は閉じた状態から開放される場合に、開放角度が大きくなる位置に開閉の支点が、扉の一端部がリモコン本体により曲線状に案内されて扉側で円弧状に移動可能であり、９０度より大きく開放される構成にしたので、扉の開放角度を大きくできるのでリモコンの操作性が良く、かつ扉が閉じた場合のリモコンとリモコン収納部との隙間を最小にできるので意匠性も優れたものが得られる。
【００２７】
請求項２の空気調和機のリモコン収納装置は、請求項１記載のものにおいて、扉は上下方向に回転開閉する構成にしたので、扉の上下方向の開放角度を大きくできるのでリモコンの操作性が良く、かつ扉が閉じた場合のリモコンとリモコン収納部との上下の隙間を最小にできるので意匠性も優れたものが得られる。
【００２８】
請求項３の空気調和機のリモコン収納装置は、請求項１記載のものにおいて、扉は左右方向に回転開閉する構成にしたので、扉の左右方向の開放角度を大きくできるのでリモコンの操作性が良く、かつ扉が閉じた場合のリモコンとリモコン収納部との左右の隙間を最小にできるので意匠性も優れたものが得られる。
【００２９】
請求項４の空気調和機のリモコン収納装置は、請求項２又は請求項３記載のものにおいて、扉は一端部がリモコン本体端部と係合し、扉の他端部が開閉する構成にしたので、扉の開放角度を大きくできるためリモコンの操作性が良く、かつ扉が閉じた場合のリモコンとリモコン収納部との端部の隙間を最小にでき意匠性も優れたものが得られる。
【図面の簡単な説明】
【図１】  この発明の実施の形態１による空気調和機のリモコン収納装置のリモコンの斜視図である。
【図２】  この発明の実施の形態１による空気調和機のリモコン収納装置の縦断面図である。
【図３】  この発明の実施の形態１による空気調和機のリモコン収納装置の要部拡大斜視図である。
【図４】  この発明の実施の形態１による空気調和機のリモコン収納装置の動作を説明する縦断面図である。
【図５】  この発明の実施の形態２による空気調和機のリモコン収納装置のリモコンの斜視図である。
【図６】  この発明の実施の形態２による空気調和機のリモコン収納装置の部分平面断面図である。
【図７】  この発明の実施の形態３による空気調和機のリモコン収納装置のリモコンの斜視図である。
【図８】  この発明の実施の形態４による空気調和機のリモコン収納装置のリモコンの斜視図である。
【図９】  従来の空気調和機の全体斜視図である。
【図１０】  従来の空気調和機のリモコンの斜視図である。
【図１１】  従来の空気調和機のリモコンの要部拡大斜視図である。
【符号の説明】
１  空気調和機本体、１ａ  リモコン収納部、１ｂ  第１のガイド、２  リモコン、２ａ  リモコン本体、３  扉、５  軸部、６  軸受部、６ａ  斜面、７  側壁、１０  第２のガイド。
【図１】
0003805285.tif 000002
【図２】
0003805285.tif 000003
【図３】
0003805285.tif 000004
【図４】
0003805285.tif 000005
【図５】
0003805285.tif 000006
【図６】
0003805285.tif 000007
【図７】
0003805285.tif 000008
【図８】
0003805285.tif 000009
【図９】
0003805285.tif 000010
【図１０】
0003805285.tif 000011
【図１１】
0003805285.tif 000012